【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
撮像領域を複数の撮像装置によりそれぞれ異なる方向から撮像することで得られる複数の画像に基づく自由視点画像の生成に係る視点の３次元位置を示す視点情報を出力する情報処理装置であって、
前記視点の指定に係る第１画像と第２画像とが表示された表示部に含まれる第１表示領域であって前記第１画像が表示された前記第１表示領域内の位置を指定するユーザ操作に基づいて、前記視点の位置の２次元座標を決定する第１決定手段と、
前記第１表示領域とは異なる第２表示領域であって前記第２画像が表示された前記第２表示領域内の位置を指定するユーザ操作に基づいて、前記視点の位置の１次元座標を決定する第２決定手段と、
前記第１決定手段により決定された２次元座標と前記第２決定手段により決定された１次元座標とに基づいて決まる前記視点の３次元位置を示す前記視点情報を出力する出力手段と、を有することを特徴とする情報処理装置。
【請求項２】
前記第１決定手段により決定される２次元座標は、水平方向における前記視点の位置を示し、
前記第２決定手段により決定される１次元座標は、鉛直方向における前記視点の位置を示すことを特徴とする請求項１に記載の情報処理装置。
【請求項３】
前記表示部に含まれる前記第１表示領域と前記第２表示領域にそれぞれ異なる画像を表示させる表示制御手段を有することを特徴とする請求項１又は２に記載の情報処理装置。
【請求項４】
前記表示制御手段は、前記出力手段により出力される前記視点情報に基づいて生成された自由視点画像を、前記表示部内の第３表示領域に表示させることを特徴とする請求項３に記載の情報処理装置。
【請求項５】
前記第１表示領域には、前記撮像領域の少なくとも一部を含む画像が表示されることを特徴とする請求項１乃至４の何れか1項に記載の情報処理装置。
【請求項６】
前記第1表示領域と前記第２表示領域との少なくとも一方には、撮像装置によって撮像された画像が表示されることを特徴とする請求項１乃至５の何れか１項に記載の情報処理装置。
【請求項７】
前記第１表示領域と前記第２表示領域との少なくとも一方には、実空間を模したコンピュータグラフィックス画像が表示されることを特徴とする請求項１乃至５の何れか１項に記載の情報処理装置。
【請求項８】
前記第１表示領域と前記第２表示領域との少なくとも一方には、前記複数の撮像装置の位置を示す画像が表示されることを特徴とする請求項１乃至７の何れか１項に記載の情報処理装置。
【請求項９】
前記第１表示領域内の位置を指定するユーザ操作と、前記第２表示領域内の位置を指定するユーザ操作とに基づいて、前記視点の向きを決定する第３決定手段を有し、
前記出力手段が出力する前記視点情報は、前記第３決定手段により決定された前記視点の向きを示す情報を含むことを特徴とする請求項１乃至８の何れか１項に記載の情報処理装置。
【請求項１０】
前記第１表示領域内の位置を指定するユーザ操作に基づいて、前記自由視点画像の生成に係る視点が向けられるべき注視点の位置の２次元座標を決定する第４決定手段と、
前記第２表示領域内の位置を指定するユーザ操作に基づいて、前記注視点の位置の１次元座標を決定する第５決定手段と、を有し、
前記出力手段が出力する前記視点情報は、前記第４決定手段により決定された２次元座標と前記第５決定手段により決定された１次元座標とに基づいて決まる前記注視点の３次元位置を示す情報を含むことを特徴とする請求項１乃至８の何れか１項に記載の情報処理装置。
【請求項１１】
前記第１表示領域内の２つの位置を指定するユーザ操作が行われた場合に、当該２つの位置の一方に基づいて前記第１決定手段が前記視点の２次元座標を決定し、且つ、当該２つの位置の他方に基づいて前記第４決定手段が前記注視点の２次元座標を決定することを特徴とする請求項１０に記載の情報処理装置。
【請求項１２】
前記第２表示領域内の位置を指定するユーザ操作に基づいて、前記視点が向けられる方向を軸とする回転に係る前記視点の姿勢を決定する第６決定手段を有し、
前記出力手段により出力される前記視点情報は、前記第６決定手段により決定された前記視点の姿勢を示す情報を含むことを特徴とする請求項１乃至１１の何れか１項に記載の情報処理装置。
【請求項１３】
前記複数の画像と前記出力手段により出力される前記視点情報とに基づいて、前記視点の３次元位置に応じた自由視点画像を生成する生成手段を有することを特徴とする請求項１乃至１２の何れか１項に記載の情報処理装置。
【請求項１４】
撮像領域を複数の撮像装置によりそれぞれ異なる方向から撮像することで得られる複数の画像に基づく自由視点画像の生成に係る視点の３次元位置を示す視点情報を出力する情報処理方法であって、
前記視点の指定に係る第１画像と第２画像とが表示された表示部に含まれる第１表示領域であって前記第１画像が表示された前記第１表示領域内の位置を指定するユーザ操作に基づいて、前記視点の位置の２次元座標を決定する第１決定工程と、
前記第１表示領域とは異なる第２表示領域であって前記第２画像が表示された前記第２表示領域内の位置を指定するユーザ操作に基づいて、前記視点の位置の１次元座標を決定する第２決定工程と、
前記第１決定工程において決定された２次元座標と前記第２決定工程において決定された１次元座標とに基づいて決まる前記視点の３次元位置を示す前記視点情報を出力する出力工程と、を有することを特徴とする情報処理方法。
【請求項１５】
前記第１決定工程により決定される２次元座標は、水平方向における前記視点の位置を示し、
前記第２決定工程により決定される１次元座標は、鉛直方向における前記視点の位置を示すことを特徴とする請求項１４に記載の情報処理方法。
【請求項１６】
前記第１表示領域内の位置を指定するユーザ操作と、前記第２表示領域内の位置を指定するユーザ操作とに基づいて、前記視点の向きを決定する第３決定工程を有し、
前記出力工程において出力される前記視点情報は、前記第３決定工程において決定された前記視点の向きを示す情報を含むことを特徴とする請求項１４又は１５に記載の情報処理方法。
【請求項１７】
コンピュータを、請求項１乃至１３の何れか１項に記載の情報処理装置の各手段として機能させるためのプログラム。
【手続補正２】
【補正対象書類名】明細書
【補正対象項目名】０００５
【補正方法】変更
【補正の内容】
【０００５】
本発明に係る情報処理装置の一態様は、撮像領域を複数の撮像装置によりそれぞれ異なる方向から撮像することで得られる複数の画像に基づく自由視点画像の生成に係る視点の３次元位置を示す視点情報を出力する情報処理装置であって、前記視点の指定に係る第１画像と第２画像とが表示された表示部に含まれる第１表示領域であって前記第１画像が表示された前記第１表示領域内の位置を指定するユーザ操作に基づいて、前記視点の位置の２次元座標を決定する第１決定手段と、前記第１表示領域とは異なる第２表示領域であって前記第２画像が表示された前記第２表示領域内の位置を指定するユーザ操作に基づいて、前記視点の位置の１次元座標を決定する第２決定手段と、前記第１決定手段により決定された２次元座標と前記第２決定手段により決定された１次元座標とに基づいて決まる前記視点の３次元位置を示す前記視点情報を出力する出力手段と、を有する。